(57)【要約】【課題】１倍速の追っかけ再生を実現することが可能な放送受信装置及び放送受信方法を提供する。【解決手段】チューナー部１と復調部２と、復調結果を音声信号部分と映像信号部分とに分け、一方でそれぞれを振り分けて出力し、もう一方でそれぞれを共に出力する信号処理部３と、音声処理部４で復号された音声信号部分を出力する音声出力部５と、映像処理部６で復号された映像信号部分を出力する映像出力部７と、無音、ＣＭ及び無動部分を検出する無音検出部８、ＣＭ検出部９及び無動検出部１０と、これらの結果を適宜組み合わせてスキップ対象期間とするスキップ判断部１１と、音声信号部分及び映像信号部分のうち、スキップ対象期間にマークを付加するスキップマーク付加部１２と、それらを記録する記録部１３と、スキップ対象期間をスキップして信号処理部に出力するスキップ部１４とを具備することを特徴とする。【選択図】  図１
2009278334.tif 000002
【特許請求の範囲】
【請求項１】
放送を受信するチューナー部と、
前記チューナー部で受信した前記放送を復調する復調部と、
前記復調部で復調された放送を、音声信号部分と映像信号部分とに分け、一方で前記音
声信号部分と前記映像信号部分とをそれぞれ振り分けて出力し、もう一方で、前記音声信
号部分と前記映像信号部分とを共に出力する信号処理部と、
前記信号処理部から出力された音声信号部分を復号する音声処理部と、
前記信号処理部から出力された映像信号部分を復号する映像処理部と、
前記音声処理部からの前記復号された音声信号部分を音声出力する音声出力部と、
前記映像処理部からの前記復号された映像信号部分を映像出力する映像出力部と、
前記音声処理部からの前記復号された音声信号部分のうち、無音部分の検出結果と、前
記映像処理部からの前記復号された映像信号部分のうち、映像の動きが無い部分の検出結
果の、いずれか一つ、もしくは、前記音声処理部からの前記復号された音声信号部分のう
ち、コマーシャル部分の検出結果、前記無音部分の検出結果、及び前記映像の動きが無い
部分の検出結果のいずれか二つ以上を組み合わせた期間を、スキップ対象期間と判断する
スキップ判断部と、
前記信号処理部から出力された前記音声信号部分及び前記映像信号部分の、前記スキッ
プ対象期間にマークを付加するスキップマーク付加部と、
前記スキップマーク付加部でスキップマークを付加された前記音声信号部分及び前記映
像信号部分を記録する記録部と、
前記記録部に記録された前記音声信号部分及び前記映像信号部分のうち、前記スキップ
対象期間の前記音声信号部分及び前記映像信号部分をスキップし、前記スキップ対象期間
がスキップされた前記音声信号部分及び前記映像信号部分を、前記信号処理部に出力する
スキップ部と、
を具備することを特徴とした放送受信装置。
【請求項２】
放送を受信するチューナー部と、
前記チューナー部で受信した前記放送を復調する復調部と、
前記復調部で復調された放送を、音声信号部分と映像信号部分とに分け、一方で前記音
声信号部分と前記映像信号部分とをそれぞれ振り分けて出力し、もう一方で、前記音声信
号部分と前記映像信号部分とを共に出力する信号処理部と、
前記信号処理部から出力された音声信号部分を復号する音声処理部と、
前記信号処理部から出力された映像信号部分を復号する映像処理部と、
前記音声処理部からの前記復号された音声信号部分を音声出力する音声出力部と、
前記映像処理部からの前記復号された映像信号部分を映像出力する映像出力部と、
前記音声処理部からの前記復号された音声信号部分のうち、無音部分の検出結果と、前
記映像処理部からの前記復号された映像信号部分のうち、映像の動きが無い部分の検出結
果の、いずれか一つ、もしくは、前記音声処理部からの前記復号された音声信号部分のう
ち、コマーシャル部分の検出結果、前記無音部分の検出結果、及び前記映像の動きが無い
部分の検出結果のいずれか二つ以上を組み合わせた期間を、スキップ対象期間と判断する
スキップ判断部と、
前記信号処理部から出力された前記音声信号部分及び前記映像信号部分のうち、前記ス
キップ対象期間をスキップするスキップ部と、
前記スキップ部でスキップ対象期間がスキップされた前記音声信号部分及び前記映像信
号部分を記録し、かつ、前記信号処理部に出力する記録部と、
を具備することを特徴とした放送受信装置。
【請求項３】
前記音声処理部からの前記復号された音声信号部分のうち、無音部分を検出する無音検
出部と、
前記映像処理部からの前記復号された映像信号部分放送のうち、映像の動きが無い部分
を検出する無動検出部のうち、
少なくとも一つ、もしくは、
前記音声処理部からの前記復号された音声信号部分のうち、コマーシャル部分を検出す
るＣＭ検出部、前記無音検出部、及び前記無動検出部のうち、
いずれか二つ以上を更に具備する請求項１又は２に記載の放送受信装置。
【請求項４】
放送を受信するチューナー部と、
前記チューナー部で受信した前記放送を復調する復調部と、
前記復調部で復調された放送を、音声信号部分と映像信号部分とに分け、一方で前記音
声信号部分と前記映像信号部分とをそれぞれ振り分けて出力し、もう一方で、前記音声信
号部分と前記映像信号部分とを共に出力する信号処理部と、
前記信号処理部から出力された音声信号部分を復号する音声処理部と、
前記信号処理部から出力された映像信号部分を復号する映像処理部と、
前記音声処理部からの前記復号された音声信号部分を音声出力する音声出力部と、
前記映像処理部からの前記復号された映像信号部分を映像出力する映像出力部と、
前記音声処理部からの前記復号された音声信号部分のうち、無音部分を検出する無音検
出部と、
前記音声処理部からの前記復号された音声信号部分のうち、コマーシャル部分を検出す
るＣＭ検出部と、
前記映像処理部からの前記映像放送のうち、映像の動きが無い部分を検出する無動検出
部と、
前記信号処理部から出力された前記音声信号部分の、前記無音検出部で検出された無音
部分に、第１のマークを付加する無音マーク付加部と、
前記信号処理部から出力された前記音声信号部分の、前記ＣＭ検出部で検出されたコマ
ーシャル部分に、第２のマークを付加するＣＭマーク付加部と、
前記信号処理部から出力された前記映像信号部分の、前記無動検出部で検出された無動
部分に、第３のマークを付加する無動マーク付加部と、
前記無音マーク付加部、前記ＣＭマーク付加部及び前記無動マーク付加部でマークを付
加された前記音声信号部分及び前記映像信号部分を記録する記録部と、
前記無音検出部、前記ＣＭ検出部及び前記無動検出部で検出された検出結果のいずれか
一つ、もしくはいずれか二つ以上を組み合わせてスキップ対象期間と判断するスキップ判
断部と、
前記記録部から第１乃至第３のマークを付加された前記音声信号部分及び前記映像信号
部分を受信し、前記第１乃至第３のマークを付加された前記音声信号部分及び前記映像信
号部分のうち、前記スキップ対象期間の前記音声信号部分及び前記映像信号部分をスキッ
プし、前記スキップ対象期間がスキップされた前記音声信号部分及び前記映像信号部分を
信号処理部に出力するスキップ部と、
を具備することを特徴とした放送受信装置。
【請求項５】
放送を受信し、前記受信した放送を記録し、再生する放送受信装置の放送受信方法であ
って、
現在放送中の放送を記録するときに、自動的に前記放送に複数のマークを付加し、
前記複数のマークは、現在放送中の放送の、無音、コマーシャル及び映像の動き無しの
各期間を任意に組み合わせた結果に基づき付加することを特徴とする放送受信装置の放送
受信方法。
【請求項６】
前記複数のマークが付加された期間の一部又は全部をスキップして前記記録された前記
放送を再生することを特徴とする請求項５に記載の放送受信装置の放送受信方法。
【請求項７】
放送を受信し、前記受信した放送を記録し、再生する放送受信装置の放送受信方法であ
って、
現在放送中の放送を記録するときに、自動的に前記放送に応じて、前記放送の一部を予
めスキップして記録し、
前記スキップは、現在放送中の放送の、無音、コマーシャル及び映像の動き無しの各期
間を任意に組み合わせた結果に基づき、スキップすることを特徴とする放送受信装置の放
送受信方法。
【請求項８】
前記無音又は映像の動き無しの識別に、閾値を用いることを特徴とする請求項５または
７に記載の放送受信装置の放送受信方法。
【請求項９】
前記無音又は映像の動き無しの識別に、それぞれの継続時間を用いることを特徴とする
請求項５または７に記載の放送受信方法。
【発明の詳細な説明】
【技術分野】
【０００１】
本発明は、放送受信装置及び放送受信方法に係り、例えば、ＴＶなどの放送を受信して
記録再生する装置及び方法の改良に関するものである。
【背景技術】
【０００２】
近年、放送中の放送を記録媒体に記録しながら、その記録した放送を、時間をずらして
後から再生する追っかけ再生機能を有する記録再生装置が普及している。更に、この追っ
かけ再生機能には、追っかけ再生をした結果、現在放送中の放送に追いついた時に、再生
対象の放送を、自動で追っかけ再生による放送から現在放送中の放送に切り替え、かつ、
追っかけ再生のための記録を停止する機能が備わっているものもある。
【０００３】
この時、追っかけ再生による放送の再生速度と、現在放送中の放送の再生速度とが同じ
である場合、いつまでも追っかけ再生による放送が現在放送中の放送に追いつくことはな
いため、延々と放送を記録し続けなくてはならなくなる。その場合、大容量の記憶媒体が
必要になってしまう。
【０００４】
そこで、追っかけ再生を早送りすることで、現在放送中の放送に追いつくことを可能と
し、かつ、大容量の記録媒体を要さない追っかけ再生を実現している放送受信装置がある
（例えば、特許文献１参照。）。
【０００５】
しかしながら、この場合、記録内容を早送りするため、映像や音声の品質が悪化したり
、映像や音声に違和感があったりする問題があった。
【特許文献１】特開Ｐ２００７−４３３５７（）
【発明の開示】
【発明が解決しようとする課題】
【０００６】
本発明は、映像や音声の品質の悪化を防止し、１倍速の追っかけ再生を実現することが
可能な放送受信装置及び放送受信方法を提供することを目的とする。
【課題を解決するための手段】
【０００７】
上記目的を達成するために、本発明の一態様の放送受信装置は、放送を受信するチュー
ナー部と、前記チューナー部で受信した前記放送を復調する復調部と、前記復調部で復調
された放送を、音声信号部分と映像信号部分とに分け、一方で前記音声信号部分と前記映
像信号部分とをそれぞれ振り分けて出力し、もう一方で、前記音声信号部分と前記映像信
号部分とを共に出力する信号処理部と、前記信号処理部から出力された音声信号部分を復
号する音声処理部と、前記信号処理部から出力された映像信号部分を復号する映像処理部
と、前記音声処理部から出力された前記復号された音声信号部分を音声出力する音声出力
部と、前記映像処理部から出力された前記復号された映像信号部分を映像出力する映像出
力部と、前記音声処理部からの前記復号された音声信号部分のうち、無音部分の検出結果
と、前記映像処理部からの前記復号された映像信号部分のうち、映像の動きが無い部分の
検出結果の、いずれか一つ、もしくは、前記音声処理部からの前記復号された音声信号部
分のうち、コマーシャル部分の検出結果、前記無音部分の検出結果、及び前記映像の動き
が無い部分の検出結果のいずれか二つ以上を組み合わせた期間を、スキップ対象期間と判
断するスキップ判断部と、前記信号処理部から出力された前記音声信号部分及び前記映像
信号部分の、前記スキップ対象期間にマークを付加するスキップマーク付加部と、前記ス
キップマーク付加部でスキップマークを付加された前記音声信号部分及び前記映像信号部
分を記録する記録部と、前記記録部に記録された前記音声信号部分及び前記映像信号部分
のうち、前記スキップ対象期間の前記音声信号部分及び前記映像信号部分をスキップし、
前記スキップ対象期間がスキップされた前記音声信号部分及び前記映像信号部分を、前記
信号処理部に出力するスキップ部とを具備することを特徴とする。
【発明の効果】
【０００８】
本発明によれば、映像や音声の品質の悪化を防止し、１倍速の追っかけ再生を実現する
ことが可能な放送受信装置及び放送受信方法を提供することができる。
【発明を実施するための最良の形態】
【０００９】
以下本発明の実施の形態について、図面を参照して説明する。
【００１０】
（第１の実施の形態）
図１は本発明の第１の実施の形態に係る放送受信装置の構成を示すブロック図である。
チューナー部１では、アンテナＡＮＴから入力される変調された放送の受信及び選局を行
う。チューナー部１で受信された放送は、復調部２で復調され、変調波から元のトランス
ポートストリーム（以降ＴＳと記す）に戻され、このＴＳが信号処理部３へ送られる。信
号処理部３は、本放送受信装置の全ての制御を司る制御部５０を有している。
【００１１】
更に、信号処理部３は、記録フラグ及び再生フラグがセットされる。記録フラグとは、
図１における記録部１３への記録動作が実行中か否かを意味するフラグであり、再生フラ
グとは、記録部１３に記録された記録内容が再生中か否かを意味するフラグである。例え
ば、記録フラグがセットされている場合は記録部１３への記録動作が実行中であり、再生
フラグがセットされている場合は、記録部１３に記録された記録内容が再生中であること
を意味する。
【００１２】
なお、出荷時には記録フラグ及び再生フラグはセットされていない。また、制御部５０
、記録フラグ及び再生フラグは信号処理部３に設けられなくてもよい。例えば記録部１３
に設けられても構わないし、独立して設けられていても構わない。
【００１３】
ここで、ＴＳとは、音声信号及び映像信号をそれぞれ符号化、及びパケット化した複数
の音声信号部分及び映像信号部分で構成されたものである。具体的には、図２（ａ）に示
すように、複数のＴＳパケット単位で構成され、各ＴＳパケットは、パケットヘッダと、
ストリームとで構成されている。パケットヘッダには、各ＴＳのパケット識別情報などが
記録されている。ストリームには、音声信号及び映像信号を符号化した音声ストリームと
映像ストリームとがあり、該当のストリームが音声ストリームであるか映像ストリームで
あるかは、パケットヘッダのパケット識別情報によって識別することが可能である。
【００１４】
信号処理部３は、このＴＳパケットをスキップマーク付加部１２へ送る一方で、パケッ
ト識別情報を基に、音声ストリームのＴＳパケットを音声処理部４へ、映像ストリームの
ＴＳパケットを映像処理部６へそれぞれ振り分けて送る。
【００１５】
音声処理部４は、信号処理部３から送られてきた音声ストリームのＴＳパケットを復号
化して元のＰＣＭ（Ｐｕｌｓｅ  Ｃｏｄｅ  Ｍｏｄｕｌａｔｉｏｎ）信号に戻す。その復
号化されたＰＣＭ信号は、Ｄ／Ａ変換器（不図示）や増幅器（不図示）を介し、音声出力
部５で音声として出力される。また、映像処理部６は、信号処理部３から送られてきた映
像ストリームのＴＳパケットを復号化して元の映像信号に戻す。その複合化された映像信
号は、映像出力部７で映像として出力される。
【００１６】
なお、音声処理部４から出力されるＰＣＭ信号は、無音検出部８及びコマーシャル（以
降ＣＭと記す）検出部９へも送られる。また、映像処理部６から出力される映像信号は、
無動検出部１０へも送られる。
【００１７】
無音検出部８は、例えば、音声処理部４から出力されるＰＣＭ信号のレベルが所定の閾
値以下（ゼロまたはゼロに近い）のときに、音が無い（以降、無音と記す）無音期間と判
断し、そのＰＣＭ信号が無音であることを無音検出信号としてスキップ判断部１１へ出力
する。
【００１８】
このスキップ判断部１１への無音検出信号は、無音が開始したタイミングで一定の電圧
レベル（以降Ｈレベルと記す）に立上がり、無音が終了するまでＨレベルを維持し、無音
が終了したタイミングでＨレベルから元の状態（以降Ｌレベルと記す）に立下がるような
幅広いパルスでもよく、また、無音が開始したタイミングで瞬間的にＨレベルに立上がり
、その後すぐにＬレベルに立下がり、無音が終了したタイミングで再度瞬間的にＨレベル
に立上がり、その後すぐにＬレベルに立下がるような急峻なパルスであってもよい。なお
、ＰＣＭ信号を無音とするか否かを判断する閾値は、種々の値に設定可能である。
【００１９】
ＣＭ検出部９は、例えば、音声処理部４から出力されるＰＣＭ信号の音声モードとその
音声モードの再生時間とを用いることで、ＣＭ期間を検出する。音声モードにはモノラル
又はステレオ及び、１ヶ国語又は２ヶ国語があり、本編とＣＭとの切り替わりのタイミン
グを、その切り替わり前後の音声モードの比較結果と、その切り替わり前の音声モードの
継続時間とを用いて検出する。
【００２０】
例えば、音声モードがステレオモードで、かつ、２ヶ国語モードの場合で、この音声モ
ードが６０分間継続した後に、音声モードがステレオモードで、かつ、１ヶ国語モードに
切り替わった場合、この切り替わった時点をＣＭ開始時点として検出する。
【００２１】
次に、音声モードがステレオモードで、かつ、１ヶ国語モードの場合で、この音声モー
ドが２分間継続した後に、音声モードがステレオモードで、かつ、２カ国語モードに切り
替わった場合、この切り替わった時点をＣＭ終了時点として検出する。そして、この検出
結果をＣＭ検出信号としてスキップ判断部１１へ出力する。
【００２２】
なお、ＣＭの検出条件は、任意に変更可能である。例えば、音声モードは限定せずに、
音声モードが切り替わったことをトリガとして、その切り替わり前後の各音声モードの継
続時間のみを比較した結果を用いてもよい。また、ＣＭを識別する信号が放送に付加され
ている場合は、その信号を用いてもよい。
【００２３】
このスキップ判断部１１へのＣＭ検出信号は、無音検出部８の無音検出信号と同様であ
る。例えば、ＣＭに切替わったタイミングでＨレベルに立上がり、ＣＭが終了するまでＨ
レベルを維持し、ＣＭが終了したタイミングでＨレベルからＬレベルに立下がるような幅
広いパルスでもよく、また、ＣＭが開始したタイミングで瞬間的にＨレベルに立上がり、
その後すぐにＬレベルに立下がり、ＣＭが終了したタイミングで再度瞬間的にＨレベルに
立上がり、その後すぐにＬレベルに立下がるような急峻なパルスであってもよい。
【００２４】
無動検出部１０は、例えば、映像処理部６から出力される映像信号を、その前後のフレ
ームまたはフィールド単位で比較し、前後のフレームまたはフィールドの差分がゼロまた
はゼロに近いレベルの場合に動きが無い（以降、無動と記す）無動期間と判断し、その映
像信号が無動であることを無動検出信号としてスキップ判断部１１へ出力する。
【００２５】
このスキップ判断部１１への無動検出信号は、無音検出部８の無音検出信号と同様であ
る。例えば、無動が開始したタイミングでＨレベルに立上がり、無動が終了するまでＨレ
ベルを維持し、無動が終了したタイミングでＨレベルからＬレベルに立下げるような幅広
いパルスでもよく、また、無動が開始したタイミングで瞬間的にＨレベルに立上がり、そ
の後すぐにＬレベルに立下がり、無動が終了したタイミングで再度瞬間的にＨレベルに立
上がり、その後すぐにＨレベルからＬレベルに立下がるような急峻なパルスであってもよ
い。なお、映像信号が無動であるか否か判断する閾値は、種々の値に設定可能である。
【００２６】
スキップ判断部１１には、上述の通り、無音検出部８からの無音検出信号、ＣＭ検出部
９からのＣＭ検出信号及び無動検出部１０からの無動検出信号がそれぞれ入力される。
【００２７】
一方、予め視聴者により、無音、ＣＭ及び無動の各期間を適宜用いたスキップ条件がス
キップ判断部１１に入力されている。そして、スキップ判断部１１は、このスキップ条件
に基づき、これらの無音、ＣＭ及び無動の検出信号を組み合わせ、その結果をスキップ対
象期間と判断する。例えば、図３に示すように、無音かつ無動の時と、ＣＭの時とをスキ
ップ条件にすることで、記録内容をスキップさせることができる。なお、無音、ＣＭ及び
無動の組み合わせには、特に制限はない。また、出荷時は、スキップ条件が初期設定とし
て適宜入力されていてもよいし、未入力でもよい。
【００２８】
次に、スキップマーク付加部１２は、信号処理部３に記録フラグがセットされている場
合は、図２（ｂ）、（ｃ）に示すように、スキップ判断部１１でのスキップ判断結果に基
づいて、信号処理部３から送られてくるＴＳパケットのスキップ開始位置に、スキップ開
始マークを、スキップ終了位置にスキップ終了マークをそれぞれ自動的に付加し、このス
キップ開始マーク又はスキップ終了マークが付加されたＴＳパケットを記録部１３に記録
する。
【００２９】
記録部１３は、信号処理部３に再生フラグがセットされている場合は、スキップ開始マ
ーク及びスキップ終了マーク（以下スキップマークと総称する）が付加されたＴＳパケッ
トを含む全記録内容をスキップ部１４に送る。スキップ部１４は、全記録内容のうち、ス
キップ対象期間の記録内容をスキップして、スキップ対象期間でない、つまり、再生対象
期間の記録内容のみを信号処理部３へ送る。
【００３０】
そして、信号処理部３は、その再生対象期間の記録内容のうち音声ストリームのＴＳパ
ケットを音声処理部４へ、映像ストリームのパケットを映像処理部６へそれぞれ振り分け
、最後に、スキップ対象期間がスキップされたＰＣＭ信号と映像信号とが、音声出力部５
と映像出力部７とに、それぞれ出力される。
【００３１】
次に図４のフローチャートを参照して本実施の形態における放送受信装置の動作を説明
する。
【００３２】
まず、放送の記録を開始し、その記録内容の再生を開始する動作について説明する。な
お、ステップＳ５乃至Ｓ１２は、放送の記録に関する動作を示し、ステップＳ１３乃至Ｓ
１９はその記録内容の再生に関する動作を示す。以下、詳述する。
【００３３】
制御部５０は、初期化処理としてステップＳ１で信号処理部３にセットされている記録
フラグをリセットし、ステップＳ２で同様に信号処理部３にセットされている再生フラグ
をリセットする。なお、記録フラグ又は再生フラグがセットされていない場合は、リセッ
トは不要である。
【００３４】
次に、制御部５０は、ステップＳ３で信号処理部３に再生フラグがセットされているか
否かを判断する。この時、記録部１３にはまだ何も記録されていない、つまり、再生対象
の記録内容がないため再生フラグはセットされていない。従って、ステップＳ４で、現在
放送中のＴＳパケットをリアルタイムに音声出力部５及び映像出力部７に出力する。
【００３５】
次に、制御部５０は、ステップＳ５で記録開始か否かを判断する。そして、視聴者によ
って、操作ボタン等による記録開始要求がなされた場合、ステップＳ６で記録フラグをセ
ットし記録を開始する。まず、ステップＳ７のスキップ条件設定ルーチンを実行する。こ
の時、スキップ条件は、上述の通り、視聴者によって、もしくは初期設定として、予めス
キップ判断部１１に入力されている。このスキップ条件設定ルーチンでは、後述の通り、
無音、ＣＭ及び無動の各期間を適宜組合せた結果のスキップ条件がスキップ判断部１１に
設定される。
【００３６】
次に、制御部５０は、このスキップ条件をもとにステップＳ９でスキップマーク付加ル
ーチンを実行する。このスキップマーク付加ルーチンでは、後述の通り、ＴＳパケットの
スキップ対象期間の開始位置と終了位置とに、スキップ開始マークとスキップ終了マーク
とをそれぞれ付加し、ステップＳ１０で、このスキップマークが付加されたＴＳパケット
を含む、ＴＳパケット全体を記録部１３に記録する。そして、ステップＳ１１で、これら
のＴＳパケットの記録が終了したか否かを判断する。本動作説明例の場合、記録はまだ終
了していないので、ステップＳ１３以降で記録内容の再生に関する動作を実行する。
【００３７】
なお、記録終了とは、例えば、視聴者の記録停止操作による場合や、番組が終了した場
合や、また、再生内容がリアルタイムの放送に追いついた場合などである。
【００３８】
また、再生内容がリアルタイムの放送に追いついたか否かの判断は、例えば、制御部５
０が、記録部１３に入力された記録対象のＴＳパケットの記録アドレスと、記録部１３か
らスキップ部１４に出力された再生対象のＴＳパケットの再生アドレスとを比較し、それ
ぞれが同一であった場合にリアルタイムの放送に追いついたと判断する。
【００３９】
以下にステップＳ１３以降における記録内容の再生に関する処理について詳述する。
【００４０】
まず、制御部５０は、ステップＳ１３で記録内容を再生開始するか否かを判断する。そ
して、視聴者によって、操作ボタン等による再生開始要求がなされた場合、ステップＳ１
４で再生フラグを信号処理部３にセットし、再生を開始する。次に、ステップＳ１６のス
キップルーチンを実行する。
【００４１】
このスキップルーチンで、制御部５０は、後述の通り、記録部１３に記録されているＴ
Ｓパケットを読出し、そのＴＳパケットのうち、スキップ対象期間のＴＳパケットをスキ
ップ部１４でスキップし、再生対象期間のＴＳパケットのみを信号処理部３へ送り、ステ
ップＳ１７で再生対象期間の記録内容のみを再生する。上記動作を経ることにより、放送
のＴＳパケットに適宜スキップマークを付加して記録を開始し、その記録内容を再生する
ときに、そのスキップマークに従ったスキップ対象期間をスキップして再生することがで
きる。
【００４２】
次に、追っかけ再生中の動作について説明する。追っかけ再生中とは、一方で放送を記
録し（記録フラグがセットされている）、もう一方でその記録内容をスキップ再生してい
る（再生フラグがセットされている）状態である。具体的には、記録フラグがセットされ
た状態において、ステップＳ１８で制御部５０が、記録内容の再生が終了していないと判
断した場合である。
【００４３】
ここで、記録内容の再生が終了したか否かの判断は、例えば、信号処理部３が、ステッ
プＳ１１でリアルタイムの放送に追いついた時に記録された、最後の再生対象のＴＳパケ
ットの再生が終了した場合や、該当の放送の最後のＴＳを処理した場合や、また、視聴者
が再生終了ボタンなどで再生終了操作を実行したりした場合に再生終了と判断する。
【００４４】
本動作説明例の場合、記録内容はまだ再生中であるので、ステップＳ１８で記録内容の
再生は終了していないと判断した後、ステップＳ３に戻り、再生フラグがセットされてい
るか否かを判断する。
【００４５】
そして、ステップＳ３で、追っかけ再生中であるので再生フラグはセットされていると
判断し、続いてステップＳ５でも、追っかけ再生中であるので記録開始ではないと判断し
、更にステップＳ８でも、追っかけ再生中であるので記録フラグはセットされていると判
断し、ステップＳ９のスキップマーク付加ルーチンを実行する。ステップＳ９乃至Ｓ１１
の動作については、上記の、「放送の記録を開始し、その記録内容の再生を開始する動作
」と同様である。
【００４６】
そして、制御部５０はその後も同様に、追っかけ再生中であるので、ステップＳ１３で
は、記録内容の再生開始ではないと判断し、続いてステップＳ１５では、再生フラグはセ
ットされていると判断し、ステップＳ１６乃至１８を順次実行する。以上の動作を繰り返
すことにより、追っかけ再生を継続する。
【００４７】
次に、上述の追っかけ再生を実行した結果、リアルタイムの放送に追いつき、放送の記
録、及び記録内容の再生を終了し、その後、リアルタイムの放送の視聴に移行する場合の
動作について説明する。
【００４８】
制御部５０は、上述の追っかけ再生継続中に、ステップＳ１１でリアルタイムの放送に
追いついたと判断した場合、ステップＳ１２で記録フラグをリセットした後、ステップＳ
３に戻る。
【００４９】
ステップＳ３では、まだ再生フラグはリセットされていないのでステップＳ５に進み、
ステップＳ５で記録開始ではないと判断し、続いてステップＳ８で記録フラグがセットさ
れていないと判断し、ステップＳ１３で記録内容の再生開始でないと判断し、そして、ス
テップＳ１５で再生フラグはセットされていると判断する。その後、ステップＳ１６乃至
１８で、記録内容の最後のＴＳパケットを再生し、最後にステップＳ１９で再生フラグを
リセットした後、再度ステップＳ３に戻り、ステップＳ３以降の動作を実行する。以上の
動作により、追っかけ再生からリアルタイムの放送に追いつき、その後はリアルタイムの
放送を継続する。
【００５０】
次に、上記の追っかけ再生を実行したが、リアルタイムの放送に追いつく前に放送が終
了した、もしくは、視聴者が記録を終了した場合の動作について説明する。
【００５１】
制御部５０は、上記の追っかけ再生継続中に、ステップＳ１１で記録終了と判断した場
合、ステップＳ１２で記録フラグをリセットし、ステップＳ３に戻る。この時点では、ま
だ記録内容の再生は継続中であるので、ステップＳ３で、再生フラグは設定されていると
判断する。そして、ステップＳ５で記録開始でないと判断し、ステップＳ８で記録フラグ
は設定されていないと判断し、ステップＳ１３で記録内容の再生開始ではないと判断し、
ステップＳ１５で再生フラグが設定されていると判断し、ステップＳ１６のスキップルー
チンを実行し、続いてステップＳ１７で記録内容を再生する。そしてステップＳ１８で記
録内容の再生が終了したと判断した場合、ステップＳ１９で再生フラグをリセットし、ス
テップＳ３に戻る。その後は、上記「追っかけ再生を実行した結果、リアルタイムの放送
に追いつき、放送の記録、及び記録内容の再生を終了し、その後、リアルタイムの放送の
視聴に移行する場合」と同様のリアルタイム放送の視聴に移行する。
【００５２】
なお、ステップＳ１８で記録内容の再生が終了していないと判断した場合は、そのまま
ステップＳ３に戻り、記録内容の再生が終了するまで記録内容の再生を繰り返す。以上の
動作により、追っかけ再生を実行したが、リアルタイムの放送に追いつく前に放送が終了
した、もしくは、視聴者が記録を終了し、その後はリアルタイムの放送を継続する。
【００５３】
次に、図１における無音検出部８とＣＭ検出部９及び無動検出部１０の動作を図５（ａ
）乃至図５（ｃ）のフローチャートを参照して説明する。なお、本動作は、図４のフロー
チャートとは別に、音声信号及び映像信号に対して常時実施している。または、必要時の
み実施してもよい。例えば、図４のステップＳ６の記録フラグセット動作の前後のどちら
かで本動作を開始し、同図ステップＳ１２の記録フラグリセット動作の前後のどちらかで
本動作を停止してもよい。
【００５４】
まず、無音検出部８の動作について、図５（ａ）のフローチャートを参照して説明する
。無音検出部８は、ステップＳ３１ａで無音開始か否かを判断し、無音開始の場合はステ
ップＳ３２ａで、スキップ判断部１１にＨレベルの電圧を出力して初めに戻り、再度ステ
ップＳ３１ａで無音開始か否かを判断する。そして、無音開始でない場合はステップＳ３
３ａで、無音終了か否かを判断し、無音終了の場合はステップＳ３４ａで、スキップ判断
部１１にＬレベルの電圧を出力して初めに戻る。
【００５５】
一方、無音終了でない場合、つまり無音が継続中の場合、Ｈレベルの電圧をスキップ判
断部１１に出力したまま初めに戻る。これにより、無音検出部８からスキップ判断部１１
へ出力する無音検出信号は、無音期間中は常にＨレベルの電圧であり、無音期間が終了す
るとＬレベルの電圧になるという幅広いパルスになる。なお、前述のように、無音検出信
号を急峻なパルスにするために、ステップＳ３２ａでＨレベルを出力した直後にＬレベル
を出力し、ステップＳ３４ａでＨレベルを出力し、その直後にＬレベルを出力してもよい
。
【００５６】
次に、ＣＭ検出部９の動作について、図５（ｂ）のフローチャートを参照して説明する
。ＣＭ検出部９は、ステップＳ３１ｂでＣＭ開始か否かを判断し、ＣＭ開始の場合はステ
ップＳ３２ｂでスキップ判断部１１にＨレベルの電圧を出力して初めに戻り、再度ステッ
プＳ３１ｂでＣＭ開始か否かを判断する。そして、ＣＭ開始でない場合はステップＳ３３
ｂで、ＣＭ終了か否かを判断し、ＣＭ終了の場合はステップＳ３４ｂで、スキップ判断部
１１にＬレベルの電圧を出力して初めに戻る。
【００５７】
一方、ＣＭ終了でない場合、つまりＣＭが継続中の場合、Ｈレベルの電圧をスキップ判
断部１１に出力したまま初めに戻る。これにより、ＣＭ検出部９からスキップ判断部１１
へ出力するＣＭ検出信号は、ＣＭ期間中は常にＨレベルの電圧であり、ＣＭ期間が終了す
るとＬレベルの電圧になるという幅広いパルスになる。なお、前述のように、ＣＭ検出信
号を急峻なパルスにするために、ステップＳ３２ｂでＨレベルを出力した直後にＬレベル
を出力し、ステップＳ３４ｂでＨレベルを出力し、その直後にＬレベルを出力してもよい
。
【００５８】
次に、無動検出部１０の動作について、図５（ｃ）のフローチャートを参照して説明す
る。無動検出部１０は、ステップＳ３１ｃで無動開始か否かを判断し、無動開始の場合は
ステップＳ３２ｃでスキップ判断部１１にＨレベルの電圧を出力して初めに戻り、再度ス
テップＳ３１ｃで無動開始か否かを判断する。そして、無動開始でない場合はステップＳ
３３ｃで、無動終了か否かを判断し、無動終了の場合はステップＳ３４ｃで、スキップ判
断部１１にＬレベルの電圧を出力して初めに戻る。
【００５９】
一方、無動終了でない場合、つまり無動が継続中の場合、Ｈレベルの電圧をスキップ判
断部１１に出力したまま初めに戻る。これにより、無動検出部９からスキップ判断部１１
へ出力する無動検出信号は、無動期間中は常にＨレベルの電圧であり、無動期間が終了す
るとＬレベルの電圧になるという幅広いパルスになる。なお、前述のように、無動検出信
号を急峻なパルスにするために、ステップＳ３２ｃでＨレベルを出力した直後にＬレベル
を出力し、ステップＳ３４ｃでＨレベルを出力し、その直後にＬレベルを出力してもよい
。
【００６０】
以上の動作により、無音期間とＣＭ期間と無動期間の開始及び終了のタイミングをスキ
ップ判断部１１に出力することができる。
【００６１】
次に、図１のスキップ判断部１１で実行される、図４のステップＳ７におけるスキップ
条件設定ルーチンの動作を図６のフローチャートを参照して説明する。
【００６２】
まず、視聴者が無音をスキップするか否かを選択した結果がステップＳ５１でスキップ
判断部１１に入力される。スキップ判断部１１は、その入力された選択結果が、無音をス
キップする場合はステップＳ５２で無音をスキップ条件に設定し、無音をスキップしない
場合はそのままステップＳ５３へ進む。
【００６３】
次に、視聴者がＣＭをスキップするか否かを選択した結果がステップＳ５３でスキップ
判断部１１に入力される。スキップ判断部１１は、その入力された選択結果が、ＣＭをス
キップする場合はステップＳ５４でＣＭをスキップ条件として設定し、ＣＭをスキップし
ない場合はそのままステップＳ５５へ進む。
【００６４】
次に、視聴者が無動をスキップするか否かを選択した結果がステップＳ５５でスキップ
判断部１１に入力される。スキップ判断部１１は、その入力された選択結果が、無動をス
キップする場合はステップＳ５６で無動をスキップ条件に設定し、無動をスキップしない
場合はそのままステップＳ５７進む。
【００６５】
そして、スキップ判断部１１は、ステップＳ５７で、上述した各スキップ条件の組み合
わせをスキップ条件として、スキップ判断部１１に設定する。
【００６６】
以上の図５及び図６の動作により、無音、ＣＭ期間、無動の各期間が得られ、更に、ス
キップ条件が設定されることになる。
【００６７】
次に、上記で得られた無音、ＣＭ、無動の各期間及びスキップ条件をもとに、図１のス
キップ判断部１１で実行される、スキップ対象期間の設定動作について、図７のフローチ
ャートを参照して説明する。このスキップ対象期間は、図４のステップＳ９でスキップ開
始／終了マークを付加するためのスキップ対象期間としてスキップマーク付加部に設定さ
れる。
【００６８】
まず、スキップ判断部１１は、ステップＳ６１で、図６で設定したスキップ条件を取得
し、ステップＳ６２乃至Ｓ６４で、図５で得られた無音、ＣＭ及び無動の各期間を取得す
る。そして、ステップＳ６５で、スキップ条件に基づきスキップ期間を設定して終了する
。この設定は、例えば、再生対象期間中は常時信号「０」を、スキップ対象期間中は常時
信号「１」を、それぞれスキップ判断部１１からスキップマーク付加部１２に送り、また
は、再生対象期間からスキップ対象期間に切り替わったタイミングで信号「１」を、スキ
ップ対象期間から再生対象期間に切り替わったタイミングで再度信号「１」を、それぞれ
スキップ判断部１１からスキップマーク付加部１２に送ることにより行う。なお、上述し
た信号は、「０」「１」に限るものではない。また、このスキップ対象期間の設定動作は
、例えば、１つのＴＳパケット毎または複数のＴＳパケット単位毎または予め設定した時
間毎に行う。
【００６９】
次に、図１のスキップマーク付加部１２で実行される、図４のステップＳ９におけるス
キップマーク付加ルーチンの動作を図８のフローチャートを参照して説明する。
【００７０】
まず、スキップマーク付加部１２は、ステップＳ７１でＴＳパケットを読み込む。ＴＳ
パケットの読み込み単位は、例えば、１つのＴＳパケット毎または複数のＴＳパケット単
位毎または予め設定した時間毎に行う。次に、スキップマーク付加部１２は、ステップＳ
７２で、スキップ判断部１１から送られてくるスキップ対象期間の設定信号を参照して、
読み込んだＴＳパケットがスキップ開始位置の場合は、ステップＳ７３で、読み込んだＴ
Ｓパケットに、図２（ｂ）に示すようにスキップ開始マークを付加する。そして、次のＴ
Ｓパケットを読み込むためにステップＳ７１に戻る。
【００７１】
一方、読み込んだＴＳパケットがスキップ開始位置でない場合は、つまり、スキップ対
象期間中、スキップ終了位置、または再生対象期間中の場合は、ステップＳ７４でスキッ
プ終了位置か否かを判断する。スキップ終了位置の場合は、ステップＳ７５で、読み込ん
だＴＳパケットに、図２（ｃ）に示すようにスキップ終了マークを付加する。そして、次
のＴＳパケットを読み込むためにステップＳ７１に戻る。一方、スキップ終了位置でない
場合は、つまり、スキップ対象期間中の場合、または再生対象期間中の場合は、そのまま
ステップＳ７１に戻る。
【００７２】
なお、スキップマークは、上記のように、スキップ開始時及びスキップ終了時にそれぞ
れマークを付加してもよいし、スキップ対象期間中の全てのＴＳパケットにマークを付加
し、スキップマークが付加されたＴＳパケットはスキップ対象のＴＳパケットで、スキッ
プマークが付加されていないＴＳパケットは再生対象のＴＳパケットであるとしてもよい
。
【００７３】
次に、図１のスキップ部１４で実行される、図４のステップＳ１６におけるスキップル
ーチンの動作を図９のフローチャートを参照して説明する。具体的には、スキップを開始
するときの動作に始まり、続いてスキップ対象期間中の動作、スキップを終了するときの
動作を経て、最後に再生対象期間中の動作を実行する場合について説明する。なお、本説
明では、スキップを開始するときの動作を起点として説明しているが、起点はこの限りで
はない。例えば、再生対象期間中の動作を起点にしてもよい。
【００７４】
まず、スキップを開始するときの動作について説明する。
【００７５】
スキップ部１４は、初期化処理として、ステップＳ８１でスキップフラグをリセットする
。ここで、スキップフラグとは、スキップ処理実行中であることを意味するフラグであり
、例えば、スキップ部１４にセットされる。次に、スキップ部１４は、ステップＳ８２で
記録部１３に記録されたＴＳパケットを読み出す。
【００７６】
次に、ステップＳ８３で、スキップフラグがセットされているか否かを判断する。この
時、まだスキップは開始されておらず、スキップフラグはまだセットされていないため、
ステップＳ８４に進む。ステップＳ８４では、読み込んだＴＳパケットにスキップ開始マ
ークが付加されているか否かを判断する。この時、スキップを開始するときのＴＳパケッ
トにはスキップ開始マークが付加されているので、ステップＳ８５でスキップフラグをセ
ットし、ステップＳ８７に進む。そして、ステップＳ８７で、この読み出したＴＳパケッ
トを信号処理部３に出力せずに（スキップして）、ステップＳ８２に戻り次のＴＳパケッ
トを読み込む。以上が、スキップを開始するときの動作である。
【００７７】
次に、スキップ対象期間中の動作について説明する。
【００７８】
スキップ中の動作は、上記の、スキップ開始動作におけるステップＳ８７に引き続き行わ
れる。まず、上記によりステップＳ８７からステップＳ８２に戻り、ステップＳ８２で記
録部１３に記録されたＴＳパケットを読み出す。次に、ステップＳ８３で、スキップフラ
グがセットされているか否かを判断する。この時、既にスキップ動作は開始済であり、ス
キップフラグは既にセットされているため、ステップＳ８６に進む。
【００７９】
次に、ステップＳ８６で、読み込んだＴＳパケットにスキップ終了マークが付加されて
いるか否かを判断する。この時、スキップ対象期間中のＴＳパケットにはスキップ終了マ
ークは付加されていないのでステップＳ８７に進む。そして、ステップＳ８７で、この読
み出したＴＳパケットを信号処理部３に出力せずに（スキップして）、ステップＳ８２に
戻り次のＴＳパケットを読み込む。以上がスキップ対象期間中の動作である。
【００８０】
次に、スキップを終了するときの動作について説明する。
【００８１】
ステップＳ８３までは、上記の、スキップ対象期間中の動作と同様である。そして、ステ
ップＳ８６で、読み込んだＴＳパケットにスキップ終了マークが付加されているか否かを
判断する。スキップを終了するときのＴＳパケットにはスキップ終了マークが付加されて
いるので、ステップＳ８８に進む。次に、ステップＳ８８でスキップフラグをリセットし
、ステップＳ８９で、読み出したＴＳパケットを信号処理部３に出力する（スキップしな
い）。そして、ステップＳ８２に戻り次のＴＳパケットを読み込む。以上がスキップを終
了するときの動作である。
【００８２】
最後に、再生対象期間中の動作について説明する。
【００８３】
再生対象期間中の動作は、上記の、スキップを終了するときの動作におけるステップＳ８
９に引き続き行われる。まず、上記によりステップＳ８９からステップＳ８２に戻り、ス
テップＳ８２で、記録部１３に記録されたＴＳパケットを読み出す。次に、ステップＳ８
３で、スキップフラグが付加されているか否かを判断する。この時、スキップ対象期間は
既に終了しており、スキップフラグはセットされていないため、ステップＳ８４に進む。
【００８４】
次に、ステップＳ８４で、読み出したＴＳパケットにスキップ開始マークが付加されて
いるか否かを判断する。再生対象期間中のＴＳパケットの場合、スキップ開始マークは付
加されていないので、ステップＳ８９で、読み出したＴＳパケットを信号処理部３に出力
する（スキップしない）。そして、ステップＳ８２に戻り次のＴＳパケットを読み込む。
以上が、再生対象期間中の動作である。
【００８５】
以上によりスキップ対象期間のＴＳパケットはスキップされ、再生対象期間のＴＳパケ
ットのみが信号処理部３に出力され、最終的に、音声出力部５及び映像出力部７には、音
声信号及び映像信号は、再生対象期間のＴＳパケットのみが出力されることになる。
【００８６】
なお、本実施の形態の無音検出部８において、無音検出条件として、無音継続時間（時
間は設定可能）を更に加味して、無音継続時間がある時間以上継続したときに無音と検出
してもよい。また、無動検出部１０において、無動検出条件として、無動継続時間（時間
は設定可能）を更に加味して、無動継続時間がある時間以上継続したときに無動と検出し
てもよい。
【００８７】
また、本実施の形態では、無音検出部８、ＣＭ検出部９、無動検出部１０の各検出部を
設けたが、無音検出部８だけ設けたり、無動検出部だけ設けたりしても構わないし、無音
検出部８とＣＭ検出部９を組合せて設けたり、ＣＭ検出部９と無動検出部１０を組合せて
設けたり、また、無音検出部８と無動検出部１０を組合せて設けたりしても構わない。
【００８８】
本実施の形態によれば、現在放送中の放送のＴＳパケット記録時に、無音、ＣＭ、無動
及びスキップ条件を組み合わせてスキップ対象期間とすることができ、かつ、受信した放
送のＴＳパケットに、スキップ対象期間を自動的にマークすることができ、更に、記録内
容を再生するときに、スキップ対象期間のＴＳパケットをスキップして再生できる。その
ため、無音、ＣＭ、無動を様々に組み合わせて、例えば、無音でかつ無動の期間、及びＣ
Ｍの期間など、フレキシブルに放送をスキップすることができる。また、スキップした時
間分だけ視聴時間が短くなるため、１倍速、つまり映像や音声の品質の悪化を防止した追
っかけ再生が実現でき、リアルタイムの放送に追いついたら記録を停止することにより消
費電力が削減でき、携帯機器などバッテリーで駆動する機器にも適している。
【００８９】
更に、無音期間や無動期間を検出するときの入力レベルの閾値を変更することにとり、
スキップさせる容量を調整でき、よりユーザの意向を反映したスキップ期間を得ることが
できる。
【００９０】
更に、無音期間や無動期間を検出するときに継続時間を加味することができるので、一
瞬の無音や一瞬の無動などはスキップから除外でき、よりなめらかなスキップが可能とな
る。
【００９１】
（第２の実施の形態）
図１０は、本発明の第２の実施の形態に係る放送受信装置の構成を示すブロック図であ
る。本実施の形態が第１の実施の形態と異なるのは、ＴＳパケットをスキップするタイミ
ングである。第１の実施の形態では、スキップマークが付加されたＴＳパケットを記録部
１３に一旦記録して、その後、記録内容を再生するタイミングで、スキップ部１４におい
て、全記録内容のうち、スキップ対象期間のＴＳパケットをスキップしていたが、本実施
の形態では、記録部１３とスキップ部１４の処理順序が逆になり、スキップ部１４の処理
を実行した後に、記録部１３の処理を実行する。
【００９２】
つまり、予めスキップ部１４でスキップ対象期間のＴＳパケットをスキップした後に、
スキップ対象期間がスキップされたＴＳパケットを、記録部１３に記録する。そして、再
生するときは、記録部１３に記録した、既にスキップ対象期間がスキップされたＴＳパケ
ットをそのまま再生する。
【００９３】
以下に、図１０のブロック図について説明する。なお、チューナー部１乃至スキップ判
断部１１については第１の実施の形態と同様であるので、スキップ判断部１１より後のブ
ロックについて説明する。
【００９４】
まず、受信している放送を記録する場合には、スキップ部１４は、スキップ判断部１１
でのスキップ判断結果に基づいて、信号処理部３から送られてくるスキップ対象期間のＴ
Ｓパケットを予めスキップして記録部１３に送る。
【００９５】
次に、記録部１３は、このスキップ対象期間のＴＳパケットが予めスキップされたＴＳ
パケットを信号処理部３へ送る。そして、信号処理部３は、第１の実施の形態と同様に、
音声ストリームのＴＳパケットは音声処理部４へ、映像ストリームのＴＳパケットは映像
処理部６へそれぞれ振り分け、最後に、スキップ対象期間がスキップされたＰＣＭ信号と
映像信号とが、音声出力部５と映像出力部７とに、それぞれ出力される。
【００９６】
次に図１１のフローチャートを参照して本実施の形態における放送受信装置の動作を説
明する。なお、ステップＳ１乃至ステップＳ８までは、第１の実施の形態と同様であるの
で、ステップＳ８より後の動作について説明する。
【００９７】
まず、スキップ済のＴＳパケットの記録を開始し、その記録内容の再生を開始する動作
について説明する。
【００９８】
まず、制御部５０は、ステップＳ７のスキップ条件設定ルーチンを実行し、ステップＳ
１６で、ステップＳ７で設定したスキップ条件に基づきスキップ対象期間のＴＳパケット
をスキップし、再生対象期間のＴＳパケットのみを記録部１３に送り、ステップＳ１０で
、その再生対象期間のみのパケットを記録部１３に記録する。
【００９９】
次にステップＳ１１で、これらのＴＳパケットの記録が終了したか否かを判断する。本
動作説明例の場合、記録はまだ終了していないので、ステップＳ１３以降で記録内容の再
生に関する動作を実行する。なお、記録終了については第１の実施の形態と同様である。
【０１００】
以下にステップ１３以降における記録内容の再生に関する動作について詳述する。
【０１０１】
まず、制御部５０は、ステップＳ１３で記録内容を再生開始するか否かを判断する。そ
して、視聴者によって、操作ボタン等による再生開始要求がなされた場合、ステップＳ１
４で再生フラグを信号処理部３にセットし、再生を開始する。次に、ステップＳ１７で再
生対象期間の記録内容のみを再生する。上記動作を経ることにより、放送のＴＳパケット
のうち、再生対象のＴＳパケットのみの記録を開始し、その再生対象のＴＳパケットのみ
の記録内容を再生することができる。
【０１０２】
次に、追っかけ再生中の動作について説明する。なお、追っかけ再生中、及び、記録内
容の再生が終了したか否かの判断については第１の実施の形態と同様である。
【０１０３】
制御部５０は、ステップＳ１８で、記録内容の再生が終了したか否かの判断をする。本
動作説明例の場合、記録内容はまだ再生中であるので、記録内容の再生が終了していない
と判断した後、ステップＳ３に戻り、再生フラグがセットされているか否かを判断する。
【０１０４】
そして、ステップＳ３では、追っかけ再生中であるので再生フラグはセットされている
と判断し、続いてステップＳ５でも、追っかけ再生中であるので記録開始ではないと判断
し、更にステップＳ８でも、追っかけ再生中であるので記録フラグはセットされていると
判断し、ステップＳ１６のスキップルーチンを実行する。その後のステップＳ１０、１１
及び１３の動作については、上記の、「スキップ済のＴＳパケットの記録を開始し、その
記録内容の再生を開始する動作」と同様である。
【０１０５】
そして、制御部５０はその後も同様に、追っかけ再生中であるので、ステップＳ１３で
は、記録内容の再生開始ではないと判断し、続いてステップＳ１５では、再生フラグはセ
ットされていると判断し、ステップＳ１７、１８を順次実行する。以上の動作を繰り返す
ことにより、追っかけ再生を継続する。
【０１０６】
次に、上述の追っかけ再生を実行した結果、リアルタイムの放送に追いつき、放送の記
録、及び記録内容の再生を終了し、その後、リアルタイムの放送の視聴に移行する場合の
動作について説明する。なお、本動作は、第１の実施の形態の同動作と同様である。
【０１０７】
制御部５０は、上記の追っかけ再生継続中に、ステップＳ１１でリアルタイムの放送に
追いついたと判断した場合、ステップＳ１２で記録フラグをリセットした後、ステップＳ
３に戻る。
【０１０８】
ステップＳ３では、まだ再生フラグはリセットされていないのでステップＳ５へ進み、
ステップＳ５で記録開始ではないと判断し、続いてステップＳ８で記録フラグがセットさ
れていないと判断し、ステップＳ１３で記録内容の再生開始でないと判断し、そして、ス
テップＳ１５で再生フラグはセットされていると判断する。その後、ステップＳ１７で、
記録内容の最後のＴＳパケットを再生し、最後にステップＳ１９で再生フラグをリセット
した後、再度ステップＳ３に戻り、ステップＳ３以降の動作を実行する。以上の動作によ
り、追っかけ再生からリアルタイムの放送に追いつき、その後はリアルタイムの放送を継
続する。
【０１０９】
次に、上記の追っかけ再生を実行したが、リアルタイムの放送に追いつく前に放送が終
了した、もしくは、視聴者が記録を終了した場合の動作について説明する。
【０１１０】
制御部５０は、上記の追っかけ再生継続中に、ステップＳ１１で記録終了と判断した場
合、ステップＳ１２で記録フラグをリセットし、ステップＳ３に戻る。この時点では、ま
だ記録内容の再生は継続中であるので、ステップＳ３で、再生フラグは設定されていると
判断する。そして、ステップＳ５で記録開始でないと判断し、ステップＳ８で記録フラグ
は設定されていないと判断し、ステップＳ１３で記録内容の再生開始ではないと判断し、
ステップＳ１５で再生フラグが設定されていると判断し、ステップＳ１７で記録内容を再
生する。
【０１１１】
そしてステップＳ１８で記録内容の再生が終了したと判断した場合、ステップＳ１９で
再生フラグをリセットし、ステップＳ３に戻る。その後は、上記「追っかけ再生を実行し
た結果、リアルタイムの放送に追いつき、放送の記録、及び記録内容の再生を終了し、そ
の後、リアルタイムの放送の視聴に移行する場合の動作」と同様のリアルタイム放送の視
聴に移行する。
【０１１２】
なお、ステップＳ１８で記録内容の再生が終了していないと判断した場合は、そのまま
ステップＳ３に戻り、記録内容の再生が終了するまで記録内容の再生を繰り返す。以上の
動作により、追っかけ再生を実行したが、リアルタイムの放送に追いつく前に放送が終了
した、もしくは、視聴者が記録を終了し、その後はリアルタイムの放送を継続する。
【０１１３】
なお、本実施の形態における、無音検出部８、ＣＭ検出部９、無動検出部１０の各動作
と、スキップ条件設定ルーチンと、スキップ対象期間の設定動作及び、スキップルーチン
の動作は、第１の実施の形態と同様である。
【０１１４】
また、本実施の形態では、無音検出部８、ＣＭ検出部９、無動検出部１０の各検出部を
設けたが、無音検出部８だけ設けたり、無動検出部だけ設けたりしても構わないし、無音
検出部８とＣＭ検出部９を組合せて設けたり、ＣＭ検出部９と無動検出部１０を組合せて
設けたり、また、無音検出部８と無動検出部１０を組合せて設けたりしても構わない。
【０１１５】
本実施の形態によれば、現在放送中の放送のＴＳパケット記録部時に、無音、ＣＭ、無
動及びスキップ条件を組み合わせてスキップ対象期間とすることができ、かつ、スキップ
対象期間のＴＳパケットをスキップして記録できるので、第１の実施の形態で得られる効
果に加え、記録容量を削減できるという効果及び、記録内容再生時に特別な処理を介さな
いので、より安定して再生対象期間のＴＳパケットを再生できるという効果が得られる。
【０１１６】
（第３の実施の形態）
図１２は、本発明の第３の実施の形態に係る放送受信装置の構成を示すブロック図であ
る。本実施の形態が、第１の実施の形態と異なるのは、スキップ条件を設定するタイミン
グである。第１の実施の形態では、ＴＳパケットの記録を開始するときにスキップ条件を
設定し、そのスキップ条件に基づいて、ＴＳパケットにスキップマークを付加したが、本
実施の形態では、まず、無音、ＣＭ及び無動の全ての期間について、ＴＳパケットにスキ
ップマークを適宜付加し、それを記録部１３に記録し、その後、記録したＴＳパケットを
再生する時に、スキップ条件を設定し、ＴＳパケットのスキップ対象期間をスキップして
再生する。
【０１１７】
以下に図１２のブロック図について説明する。なお、チューナー部１乃至無動検出部１
０については第１の実施の形態と同様である。ただし、無音検出部８、ＣＭ検出部９、無
動検出部１０について、第１の実施の形態では、それぞれの検出結果を全てスキップ判断
部１１に出力していたが、本実施の形態においては、無音検出部８の検出結果は無音マー
ク付加部１５へ、ＣＭ検出部９の検出結果はＣＭマーク付加部１６へ、無動検出部１０の
検出結果は無動マーク付加部１７へ、それぞれ出力する。
【０１１８】
まず、信号処理部３から出力されたＴＳパケットに対し、無音マーク付加部１５、ＣＭ
マーク付加部１６、及び無動マーク付加部１７で、それぞれ無音、ＣＭ及び無動期間にマ
ークを適宜付加し、それらのマークが付加されたＴＳパケットを記録部１３に記録する。
【０１１９】
次に、記録部１３は、スキップ判断部１１に、スキップマークが付加されたＴＳパケッ
トを含む全記録内容を送る。そして、スキップ判断部１１は、視聴者がＴＳパケットの再
生開始時に設定したスキップ条件に基づき、そのＴＳパケットに付加された無音、ＣＭ及
び無動期間を組み合わせて、スキップ条件に合致したスキップ対象期間をＴＳパケットに
設定する。なお、組み合わせには特に制限はない。
【０１２０】
次に、スキップ部１４では、スキップ判断部１１でスキップマークが付加されたＴＳパ
ケットをスキップして、再生対象期間のＴＳパケットのみを信号処理部３へ送る。
【０１２１】
そして、信号処理部３で、第１の実施の形態と同様に音声ストリームのＴＳパケットは
音声処理部４へ、映像ストリームのＴＳパケットは映像処理部６へそれぞれ振り分け、最
後に、スキップ対象期間がスキップされたＰＣＭ信号と映像信号とが、音声出力部５と映
像出力部７とに、それぞれ出力される。
【０１２２】
次に図１３のフローチャートを参照して本実施の形態における放送受信装置の動作を説
明する。なお、ステップＳ１乃至ステップＳ６までは、第１の実施の形態と同様であるの
で、ステップＳ６より後の動作について説明する。
【０１２３】
まず、放送の記録を開始し、その記録内容の再生を開始する動作について説明する。
【０１２４】
制御部５０は、ステップＳ２０で各スキップマーク付加ルーチンを実行する。ここで、
各スキップマークとは、無音マーク付加部１５、ＣＭマーク付加部１６及び無動マーク付
加部１７でそれぞれ付加されたスキップマークのことをいう。そして、ステップＳ１０で
各スキップマークが付加されたＴＳパケットを記録部１３に記録する。次に、ステップＳ
１１で、これらのＴＳパケットの記録が終了したか否かを判断する。本動作説明例の場合
、記録はまだ終了していないので、ステップＳ１３以降で記録内容の再生に関する動作を
実行する。なお、記録終了については第１の実施の形態と同様である。
【０１２５】
以下にステップＳ１３以降における記録内容の再生に関する動作について詳述する。
【０１２６】
まず、制御部５０は、ステップＳ１３で記録内容を再生開始するか否かを判断する。そ
して、視聴者によって、操作ボタン等による再生開始要求がなされた場合、記録内容の再
生を開始し、ステップＳ１４で再生フラグを信号処理部３にセットし、再生を開始する。
次に、ステップＳ７のスキップ条件設定ルーチンを実行し、ステップＳ１６で、ステップ
Ｓ７で設定したスキップ条件に基づきスキップ対象期間のＴＳパケットをスキップし、ス
テップＳ１７で再生対象期間の記録内容のみを再生する。上記動作を経ることにより、放
送のＴＳパケットに全ての無音、ＣＭ及び無動期間のマークを付加して記録し、記録内容
を再生する直前に、スキップ対象期間を設定し、その再生対象のＴＳパケットのみの記録
内容を再生することができる。
【０１２７】
次に、追っかけ再生中の動作について説明する。なお、追っかけ再生中、及び、記録内
容の再生が終了したか否かの判断については第１の実施の形態と同様である。
【０１２８】
本動作説明例の場合、記録内容はまだ再生中であるので、ステップＳ１８で記録内容の
再生は終了していないと判断した後、ステップＳ３に戻り、再生フラグがセットされてい
るか否かを判断する。
【０１２９】
そして、ステップＳ３で、追っかけ再生中であるので再生フラグはセットされていると
判断し、続いてステップＳ５でも、追っかけ再生中であるので記録開始ではないと判断し
、更にステップＳ８でも、追っかけ再生中であるので記録フラグはセットされていると判
断し、ステップＳ２０の各スキップマーク付加ルーチンを実行する。その後のステップＳ
１０、１１及び１３の動作については、上記の、「放送の記録を開始し、その記録内容の
再生を開始する動作」と同様である。
【０１３０】
そして、制御部５０は、その後も同様に追っかけ再生中であるので、ステップＳ１３で
は、記録内容の再生開始ではないと判断し、続いてステップＳ１５では、再生フラグはセ
ットされていると判断し、ステップＳ１６乃至１８を順次実行する。以上の動作を繰り返
すことにより、追っかけ再生を継続する。
【０１３１】
次に、上述の追っかけ再生を実行した結果、リアルタイムの放送に追き、放送の記録、
及び記録内容の再生を終了し、その後、リアルタイムの放送の視聴に移行する場合の動作
について説明する。なお、本動作は、第１の実施の形態の同動作と同様である。
【０１３２】
制御部５０は、上記の追っかけ再生継続中に、ステップＳ１１でリアルタイムの放送に
追いついたと判断した場合、ステップＳ１２で記録フラグをリセットした後、ステップＳ
３に戻る。
【０１３３】
ステップＳ３では、まだ再生フラグはリセットされていないのでステップＳ５に進み、
ステップＳ５で記録開始ではないと判断し、続いてステップＳ８で記録フラグがセットさ
れていないと判断し、ステップＳ１３で記録内容の再生開始でないと判断し、そしてステ
ップＳ１５で再生フラグはセットされていると判断する。その後、ステップＳ１６乃至１
８で、記録内容の最後のＴＳパケットを再生し、最後にステップＳ１９で再生フラグをリ
セットした後、再度ステップＳ３に戻り、ステップＳ３以降の動作を実行する。以上の動
作により、追っかけ再生からリアルタイムの放送に追いつき、その後はリアルタイムの放
送を継続する。
【０１３４】
次に、上記の追っかけ再生を実行したが、リアルタイムの放送に追いつく前に放送が終
了した、もしくは、視聴者が記録を終了した場合の動作について説明する。
【０１３５】
制御部５０は、上記の追っかけ再生継続中に、ステップＳ１１で記録終了と判断した場
合、ステップＳ１２で記録フラグをリセットし、ステップＳ３に戻る。この時点では、ま
だ記録内容の再生は継続中であるので、ステップＳ３で、再生フラグは設定されていると
判断する。そして、ステップＳ５で記録開始でないと判断し、ステップＳ８で記録フラグ
は設定されていないと判断し、ステップＳ１３で記録内容の再生開始ではないと判断し、
ステップＳ１５で再生フラグが設定されていると判断し、ステップＳ１６でスキップルー
チンを実行し、ステップＳ１７でスキップ対象期間がスキップされた記録内容を再生する
。
【０１３６】
そして、ステップＳ１８で記録内容の再生が終了したと判断した場合、ステップＳ２０
で再生フラグをリセットし、ステップＳ３に戻る。
【０１３７】
その後は、上記「追っかけ再生を実行した結果、リアルタイムの放送に追いつき、放送
の記録、及び記録内容の再生を終了し、その後、リアルタイムの放送の視聴に移行する場
合の動作」と同様のリアルタイム放送の視聴に移行する。
【０１３８】
なお、ステップＳ１８で記録内容の再生が終了していないと判断した場合は、そのまま
ステップＳ３に戻り、記録内容の再生が終了するまで記録内容の再生を繰り返す。以上の
動作により、追っかけ再生を実行したが、リアルタイムの放送に追いつく前に放送が終了
した、もしくは、視聴者が記録を終了し、その後はリアルタイムの放送を継続する。
【０１３９】
なお、本実施の形態における、無音検出部８、ＣＭ検出部９、無動検出部１０の各動作
と、スキップ条件設定ルーチンと、スキップ対象期間の設定動作及び、スキップルーチン
の動作は、第１の実施の形態と同様である。
【０１４０】
次に、図１３のステップＳ２２における無音、ＣＭ及び無動期間の各マーク付加ルーチ
ンの動作について、図１４のフローチャートを参照して説明する。
【０１４１】
まず、無音マーク付加部１５は、ステップＳ１０１で信号処理部３から出力されるＴＳ
パケットを読み込み、ステップＳ１０２で無音検出部８から送られる無音期間を取得し、
ステップＳ１０３で、読み込んだストリームに無音マークを付加し、ＣＭマーク付加部１
６に出力する。次に、ＣＭマーク付加部１６は、ステップＳ１０４でＣＭ期間を取得し、
無音マーク付加部１５から出力された無音マークが付加されたＴＳパケットにＣＭマーク
を更に付加し、無動マーク付加部１７に出力する。
【０１４２】
最後に、無動マーク付加部１７は、ステップＳ１０６で無動期間を取得し、ＣＭマーク
付加部１６から出力された無音及びＣＭマークが付加されたＴＳパケットに無動マークを
更に付加する。このようにＴＳパケットを読み込む度に無音、ＣＭ及び無動の各期間のマ
ークを読み込んだＴＳパケットに適宜付加する。
【０１４３】
本実施の形態によれば、放送のＴＳパケットに無音、ＣＭ及び無動の各期間のマークを
適宜付加して記録しておくため、再生時に視聴者がスキップ条件を設定でき、更に、一旦
設定したスキップ条件を、設定し直すこともでき、第１の実施の形態の効果に加えて、よ
りフレキシブルにスキップ期間を設定することができるという効果が得られる。
【０１４４】
なお、上述した第１乃至３の実施の形態では無音、ＣＭ及び無動期間の３つスキップマ
ークを付加することを説明したが、これら３つの期間の内で２つのスキップマークのみを
付加してもよい。
【０１４５】
また、スキップマークを付加した期間は、必ずスキップする必要はなく、スキップしな
いことが選択できてもよい。
【０１４６】
なお、本発明は上述した第１乃至３の実施の形態に限定されるものでなく、その要旨を
逸脱しない範囲で種々変形することができる。上述の第１乃至第３の実施の形態では、上
記説明ではデジタル放送の構成で説明したが、アナログ放送でもよい。この場合は復調部
２から映像と音声が分別されて出力され、記録部１３への記録は適宜符号化してもよい。
【図面の簡単な説明】
【０１４７】
【図１】本発明の第１の実施の形態に係る放送受信装置の構成を示すブロック図である。
【図２】本発明の第１乃至第３の実施の形態に係るＴＳのデータ構造図である。
【図３】本発明の第１の実施の形態に係るスキップ対象期間を示した図である。
【図４】本発明の第１の実施の形態に係る放送受信装置の動作のフローチャートである。
【図５】本発明の第１乃至第３の実施の形態に係る放送受信装置における無音検出部とＣＭ検出部と無動検出部の各動作のフローチャートである。
【図６】本発明の第１乃至第３の実施の形態に係る放送受信装置におけるスキップ条件設定ルーチンの動作のフローチャートである。
【図７】本発明の第１乃至第３の実施の形態に係る放送受信装置におけるスキップ期間の設定動作のフローチャートである。
【図８】本発明の第１の実施の形態に係る放送受信装置におけるスキップマーク付加ルーチンの動作のフローチャートである。
【図９】本発明の第１乃至第３の実施の形態に係る放送受信装置におけるスキップルーチンの動作のフローチャートである。
【図１０】本発明の第２の実施の形態に係る放送受信装置の構成を示すブロック図である。
【図１１】本発明の第２の実施の形態に係る放送受信装置の動作のフローチャートである。
【図１２】本発明の第３の実施の形態に係る放送受信装置の構成を示すブロック図である。
【図１３】本発明の第３の実施の形態に係る放送受信装置の動作のフローチャートである。
【図１４】本発明の第３の実施の形態に係る放送受信装置における各検出マーク付加ルーチンの動作のフローチャートである。
【符号の説明】
【０１４８】
１  ：チューナー部
２  ：復調部
３  ：信号処理部
４  ：音声処理部
５  ：音声出力部
６  ：映像処理部
７  ：映像出力部
８  ：無音検出部
９  ：ＣＭ検出部
１０：無動検出部
１１：スキップ判断部
１２：スキップマーク付加部
１３：記録部
１４：スキップ部
１５：無音マーク付加部
１６：ＣＭマーク付加部
１７；無動マーク付加部
５０：制御部
【図１】
2009278334.tif 000003
【図２】
2009278334.tif 000004
【図３】
2009278334.tif 000005
【図４】
2009278334.tif 000006
【図５】
2009278334.tif 000007
【図６】
2009278334.tif 000008
【図７】
2009278334.tif 000009
【図８】
2009278334.tif 000010
【図９】
2009278334.tif 000011
【図１０】
2009278334.tif 000012
【図１１】
2009278334.tif 000013
【図１２】
2009278334.tif 000014
【図１３】
2009278334.tif 000015
【図１４】
2009278334.tif 000016